(57)【要約】【課題】ダイヤフラムシール型圧力測定装置に関し、圧力測定器に接続される第１導圧管またはダイヤフラムシールに接続される第２導圧管の少なくともいずれか一つに弁を設けることにより、脱着部で第１導圧管と第２導圧管を分離するとき、第１導圧管と第２導圧管の内部に満たされた封入液の漏れ量を低減する、ダイヤフラムシール型圧力測定装置を提供すること。【解決手段】圧力測定器に接続される封入液を有する第１導圧管と、ダイヤフラムシールに接続される封入液を有する第２導圧管と、前記第１導圧管と前記第２導圧管を接続または分離する脱着部とを設けたダイヤフラムシール型圧力測定装置において、前記第１導圧管または前記第２導圧管の少なくともいずれか一つに弁を設けた、ことを特徴とする。【選択図】図１
2008292217.tif 000002
【特許請求の範囲】
【請求項１】
圧力測定器に接続される封入液を有する第１導圧管と、ダイヤフラムシールに接続される封入液を有する第２導圧管と、前記第１導圧管と前記第２導圧管を接続または分離する脱着部とを設けたダイヤフラムシール型圧力測定装置において、
前記第１導圧管または前記第２導圧管の少なくともいずれか一つに弁を設けた、
ことを特徴とするダイヤフラムシール型圧力測定装置。
【請求項２】
前記弁は、前記脱着部の近くに設けられた、
ことを特徴とする請求項１に記載のダイヤフラムシール型圧力測定装置。
【請求項３】
前記脱着部に保護カバーを設けた、
ことを特徴とする請求項１または２のいずれかに記載のダイヤフラムシール型圧力測定装置。
【請求項４】
前記弁は、電磁弁である、
ことを特徴とする請求項１から３のいずれかに記載のダイヤフラムシール型圧力測定装置。
【発明の詳細な説明】
【技術分野】
【０００１】
本発明は、ダイヤフラムシール型圧力測定装置に関し、特に、ダイヤフラムシールなどの交換を容易にして、高精度で安定した圧力測定を可能にする、ダイヤフラムシール型圧力測定装置に関するものである。
【背景技術】
【０００２】
ダイヤフラムシール型圧力測定装置は、ダイヤフラムシールに加えられた圧力を、導圧管内部に満たされた封入液を介して、圧力測定器に伝達して、この圧力を測定する装置である。例えば、ダイヤフラムシール型圧力測定装置は、プラント設備において、圧力差を測定して、流量測定やタンク内の液体の高さ（液位）測定に利用される。ダイヤフラムシール型圧力測定装置について、図１１を用いて説明する。
【０００３】
ダイヤフラムシール型圧力測定装置１４は、高圧側ダイヤフラムシール３、高圧側第２導圧管２、高圧側脱着部５、高圧側第１導圧管１、低圧側ダイヤフラムシール８、低圧側第２導圧管７、低圧側脱着部１０、低圧側第１導圧管６と圧力測定器１１などから構成される。なお、一般に、ダイヤフラムシール型圧力測定装置１４により圧力差を測定する場合には、高圧側とは測定圧力の高い方、低圧側とは測定圧力の低い方を示す。
【０００４】
高圧側第２導圧管２の一端は、高圧側取付けフランジ４が装着された高圧側ダイヤフラムシール３に接続され、高圧側第２導圧管２の他端は、高圧側脱着部５の一端に接続される。高圧側第１導圧管１の一端は、圧力測定器１１のカプセル部１３に接続され、高圧側第１導圧管１の他端は、高圧側脱着部５の他端に接続される。
【０００５】
同様に、低圧側第２導圧管７の一端は、低圧側取付けフランジ９が装着された低圧側ダイヤフラムシール８に接続され、低圧側第２導圧管７の他端は、低圧側脱着部１０の一端に接続される。低圧側第１導圧管６の一端は、圧力測定器１１のカプセル部１３に接続され、低圧側第１導圧管６の他端は、低圧側脱着部１０の他端に接続される。
【０００６】
高圧側ダイヤフラムシール３、高圧側第２導圧管２、高圧側脱着部５、高圧側第１導圧管１、低圧側ダイヤフラムシール８、低圧側第２導圧管７、低圧側脱着部１０と低圧側第１導圧管６の内部には、封入液が満たされている。
【０００７】
圧力測定器１１は、変換部１２とカプセル部１３から構成され、カプセル部１３は、圧力信号を変換部１２に伝達して、変換部１２は、この圧力信号に基ずき圧力を測定する。
【０００８】
高圧側ダイヤフラムシール３について、図１２を用いて説明する。図１２は、高圧側ダイヤフラムシール３の断面図である。高圧側取付けフランジ４が装着された高圧側ダイヤフラムシール３は、受圧ブロック１７、受圧ブロック１７の一面に設けられた接液ダイヤフラム１６、および受圧ブロック１７と接液ダイヤフラム１６の間に形成された受圧室１８などから構成される。受圧室１８は、受圧ブロック１７内部の通路を介して、高圧側第２導圧管２内部の通路に接続されていて、これらは封入液１５で満たされている。なお、低圧側ダイヤフラムシール８も同様の構成を有している。なお、高圧側脱着部５と低圧側脱着部１０の構造については後述する。
【０００９】
つぎに、ダイヤフラムシール型圧力測定装置１４が、タンク１９に取付けられ、タンク１９内部の液体２０の高さ（以下、「液位」という）を測定する動作について、図１３を用いて説明する。
【００１０】
高圧側ダイヤフラムシール３は、高圧側取付けフランジ４を介して、タンク１９の下部に取付けられ、接液ダイヤフラム１６は、液体２０に接する。接液ダイヤフラム１６は、液体２０の圧力を受けて、この圧力は、封入液を介して高圧側第２導圧管２、高圧側脱着部５、高圧側第１導圧管１とカプセル部１３に伝達する。
【００１１】
低圧側ダイヤフラムシール８は、低圧側取付けフランジ９を介して、タンク１９の上部に取付けられる。接液ダイヤフラムの受ける圧力は、封入液を介して低圧側第２導圧管７、低圧側脱着部１０、低圧側第１導圧管６とカプセル部１３に伝達する。
【００１２】
カプセル部１３は、例えば容量式または振動式センサにより、前記伝達された高圧側と低圧側圧力との差に対応する圧力差信号を検出して、変換部１２に伝達する。変換部１２は、この圧力差信号に基ずき圧力差を演算して、この圧力差に基ずき液位を演算する。
【００１３】
接液ダイヤフラム１６の腐食などにより、高圧側ダイヤフラムシール３が破損や故障したとき、高圧側脱着部５により、高圧側第１導圧管１と高圧側第２導圧管２を分離して、高圧側ダイヤフラムシール３を交換できる。このとき、圧力測定器１１と低圧側ダイヤフラムシール８は、そのまま使用できる。
【００１４】
同様に、低圧側ダイヤフラムシール８が破損や故障したとき、低圧側脱着部１０により、低圧側第１導圧管６と低圧側第２導圧管７を分離して、低圧側ダイヤフラムシール８を交換できる。このとき、圧力測定器１１と高圧側ダイヤフラムシール３は、そのまま使用できる。
【００１５】
また、圧力測定器１１が故障したとき、高圧側脱着部５により、高圧側第１導圧管１と高圧側第２導圧管２を分離して、さらに低圧側脱着部１０により、低圧側第１導圧管６と低圧側第２導圧管７を分離して、圧力測定器１１を交換できる。このとき、高圧側ダイヤフラムシール３と低圧側ダイヤフラムシール８は、そのまま使用できる。
【００１６】
つぎに、低圧側第１導圧管６と低圧側第２導圧管７を接続または分離する低圧側脱着部１０の動作について、図１４と図１５を用いて説明する。図１４は、前記接続された状態における低圧側脱着部１０の断面図、図１５は、前記分離された状態における低圧側脱着部１０の断面図を示す。
【００１７】
図１４において、低圧側第１導圧管６、低圧側第２導圧管７とこれらに接続された低圧側脱着部１０は、封入液３６に満たされている。図１４に示すように、低圧側脱着部１０は、第１ボディ２８、第１スプリング２１、第１シールＯリング２３、第１支柱２６、ステム２５、第２支柱２７、第２シールＯリング２４、第３シールＯリング３５、第２スプリング２２、ハウジング３４、第２ボディ２９、第１押え具３０、第２押え具３１、第１ボール３２と第２ボール３３などから構成される。
【００１８】
接液ダイヤフラムが受けた液体２０の圧力は、封入液３６を介して低圧側第２導圧管７を伝達し、さらに低圧側脱着部１０の内部を、図１４に示す矢印の経路で伝達する。
【００１９】
この圧力は、第１ボディ２８の内部通路、第１スプリング２１と第１ボディ２８の間隙、第１シールＯリング２３とステム２５の間隙、第１支柱２６とステム２５の間隙、第２支柱２７と第２ボディ２９の間隙、第２シールＯリング２４と第２ボディ２９の間隙、第２スプリング２２と第２ボディ２９の間隙、第２ボディ２９の内部通路、低圧側第１導圧管６の順で伝達される。
【００２０】
なお、第１押え具３０が第１ボール３２を押し、第２押え具３１が第２ボール３３を押す。そして、第１ボール３２と第２ボール３３がステム２５を保持して、第１支柱２６と第２支柱２７が押し合う。この押し合いにより、第１スプリング２１と第２スプリング２２が圧縮されて、第１シールＯリング２３とステム２５の間、および第２シールＯリング２４と第２ボディ２９の間に、間隙が生じる。
【００２１】
図１５において、第１押え具３０と第２押え具３１が、下方（第２ボディ２９の方向）に移動して、第１ボール３２と第２ボール３３が、低圧側脱着部１０の外側方向に移動することにより、第１ボール３２と第２ボール３３は、ステム２５を保持しなくなる。このため、低圧側第２導圧管７、第１ボディ２８、第１スプリング２１、第１シールＯリング２３、第１支柱２６とステム２５は、第２支柱２７、第２シールＯリング２４、第３シールＯリング３５、第２スプリング２２、ハウジング３４、第２ボディ２９、第１押え具３０、第２押え具３１、第１ボール３２、第２ボール３３と低圧側第１導圧管６から分離できる。
【００２２】
この分離をしたとき、第１支柱２６と第２支柱２７が押し合わなくなるため、第１スプリング２１が伸張して、第１シールＯリング２３がステム２５に接触する。同様に、第２スプリング２２が伸張して、第２シールＯリング２４が第２ボディ２９に接触する。これらの接触により、封入液は、低圧側脱着部１０の外部への漏れを防止できる。
【００２３】
なお、高圧側第１導圧管１と高圧側第２導圧管２を接続または分離する高圧側脱着部５の動作については、図１４、図１５と同様である。
【００２４】
【特許文献１】特開２００３−３４４２０７号公報
【発明の開示】
【発明が解決しようとする課題】
【００２５】
図１３において、低圧側第２導圧管７は、低圧側脱着部１０の上方に位置するため、低圧側第２導圧管７の内部に満たされた封入液３６により、低圧側脱着部１０に圧力がかかる。
【００２６】
図１５において、低圧側第１導圧管６と低圧側第２導圧管７を分離したとき、低圧側脱着部１０にかかる前記圧力が大きければ、第１スプリング２１が伸張して、第１シールＯリング２３がステム２５に接触する以前に、封入液３６が、第１シールＯリング２３とステム２５の間隙を経由して、第１支柱２６とステム２５の間隙から低圧側脱着部１０の外部に漏れることがある。
【００２７】
その後、低圧側第１導圧管６と低圧側第２導圧管７を接続して、圧力を測定する。しかし、封入液３６の漏れにより、接液ダイヤフラム１６が液体２０から受けた圧力は、カプセル部１３に十分伝達できないため、圧力測定器１１は、高精度で安定な圧力や液位などを演算できないことがある。
【００２８】
また、この封入液の漏れを低減するために、低圧側第２導圧管７、低圧側脱着部１０と低圧側第１導圧管６を、ほぼ水平にしてから、低圧側第１導圧管６と低圧側第２導圧管７を分離した後に、故障した低圧側ダイヤフラムシール８や圧力測定器１１を交換することがある。しかし、この方法による交換は容易ではなく、ダイヤフラムシール型圧力測定装置１４のメンテナンスに要する時間や費用が、増大することがある。
【００２９】
本発明の目的は、ダイヤフラムシール型圧力測定装置に関し、脱着部で第１導圧管と第２導圧管を分離するとき、第１導圧管と第２導圧管の内部に満たされた封入液の漏れ量を低減して、高精度で安定な圧力測定をする、また、ユーザーなどによる、ダイヤフラムシールなどの交換を容易にする、ダイヤフラムシール型圧力測定装置を提供することである。
【課題を解決するための手段】
【００３０】
このような目的を達成するために、請求項１の発明は、
圧力測定器に接続される封入液を有する第１導圧管と、ダイヤフラムシールに接続される封入液を有する第２導圧管と、前記第１導圧管と前記第２導圧管を接続または分離する脱着部とを設けたダイヤフラムシール型圧力測定装置において、
前記第１導圧管または前記第２導圧管の少なくともいずれか一つに弁を設けた、
ことを特徴とする。
【００３１】
請求項２の発明は、請求項１に記載の発明において、
前記弁は、前記脱着部の近くに設けられた、
ことを特徴とする。
【００３２】
請求項３の発明は、請求項１または２のいずれかに記載の発明において、
前記脱着部に保護カバーを設けた、
ことを特徴とする。
【００３３】
請求項４の発明は、請求項１から３のいずれかに記載の発明において、
前記弁は、電磁弁である、
ことを特徴とする。
【発明の効果】
【００３４】
本発明によれば、ダイヤフラムシール型圧力測定装置に関し、圧力測定器に接続される第１導圧管またはダイヤフラムシールに接続される第２導圧管の少なくともいずれか一つに弁を設けることにより、脱着部で第１導圧管と第２導圧管を分離するとき、第１導圧管と第２導圧管の内部に満たされた封入液の漏れ量を低減できる。このため、ダイヤフラムシールが液体から受けた圧力を、前記封入液を経由して圧力測定器へ十分に伝達して、高精度で安定な圧力測定を実現できる。また、ユーザーなどが、圧力測定器やダイヤフラムシールを容易に交換できて、ダイヤフラムシール型圧力測定装置のメンテナンスに要する時間や費用を、低減することを実現できる。
【発明を実施するための最良の形態】
【００３５】
［第１の実施例］
第１の実施例について、図１を用いて説明する。図１は、本発明を適用したダイヤフラムシール型圧力測定装置の構成図であり、図１１と同一のものは同一符号を付し説明を省略する。本実施例は、高圧側第１導圧管、高圧側第２導圧管、低圧側第１導圧管と低圧側第２導圧管に、弁を設けたものである。
【００３６】
ダイヤフラムシール型圧力測定装置４１は、高圧側ダイヤフラムシール３、高圧側第２導圧管２、高圧側脱着部５、高圧側第１導圧管１、低圧側ダイヤフラムシール８、低圧側第２導圧管７、低圧側脱着部１０、低圧側第１導圧管６、弁３７、３８、３９、４０と圧力測定器１１などから構成される。なお、一般に、ダイヤフラムシール型圧力測定装置４１により圧力差を測定する場合には、高圧側とは測定圧力の高い方、低圧側とは測定圧力の低い方を示す。
【００３７】
高圧側第２導圧管２の一端は、高圧側取付けフランジ４が装着された高圧側ダイヤフラムシール３に接続される。弁３９は、高圧側第２導圧管２に挿入され、高圧側第２導圧管２の他端は、高圧側脱着部５の一端に接続されており、高圧側第２導圧管２と弁３９の内部は、封入液で満たされている。高圧側第１導圧管１の一端は、圧力測定器１１のカプセル部１３に接続される。弁４０は、高圧側第１導圧管１に挿入され、高圧側第１導圧管１の他端は、高圧側脱着部５の他端に接続されており、高圧側第１導圧管１と弁４０の内部は、封入液で満たされている。
【００３８】
同様に、低圧側第２導圧管７の一端は、低圧側取付けフランジ９が装着された低圧側ダイヤフラムシール８に接続される。弁３７は、低圧側第２導圧管７に挿入され、低圧側第２導圧管７の他端は、低圧側脱着部１０の一端に接続されており、低圧側第２導圧管７と弁３７の内部は、封入液で満たされている。低圧側第１導圧管６の一端は、圧力測定器１１のカプセル部１３に接続される。弁３８は、低圧側第１導圧管６に挿入され、低圧側第１導圧管６の他端は、低圧側脱着部１０の他端に接続されており、低圧側第１導圧管６と弁３８の内部は、封入液で満たされている。なお、弁３７、弁３８、弁３９と弁４０は、少なくともいずれか一つを設ければ（挿入すれば）よい。
【００３９】
高圧側ダイヤフラムシール３、高圧側第２導圧管２、弁３９、高圧側脱着部５、高圧側第１導圧管１、弁４０、低圧側ダイヤフラムシール８、低圧側第２導圧管７、弁３７、低圧側脱着部１０、低圧側第１導圧管６と弁３８の内部には、封入液が満たされている。
【００４０】
圧力測定器１１は、変換部１２とカプセル部１３から構成され、カプセル部１３は、圧力信号を変換部１２に伝達して、変換部１２は、この圧力信号に基ずき圧力を測定する。
【００４１】
高圧側ダイヤフラムシール３について、すでに図１２を用いて説明した。また、低圧側第１導圧管６と低圧側第２導圧管７を接続または分離する低圧側脱着部１０の動作について、すでに図１４と図１５を用いて説明した。なお、高圧側第１導圧管１と高圧側第２導圧管２を接続または分離する高圧側脱着部５の動作については、図１４、図１５と同様である。
【００４２】
つぎに、ダイヤフラムシール型圧力測定装置４２がタンク１９に取付けられ、タンク１９内部の液体２０の液位を測定する動作について、図２を用いて説明する。図２は、本発明を適用したダイヤフラムシール型圧力測定装置のタンクへの取付け図であり、図１と同一のものは同一符号を付し説明を省略する。弁３７と低圧側脱着部１０は、圧力測定器１１の上方に設けた。
【００４３】
高圧側ダイヤフラムシール３は、高圧側取付けフランジ４とボルト（図示しない）を介して、タンク１９の下部に取付けられる。高圧側第２導圧管２、高圧側脱着部５、高圧側第１導圧管１と圧力測定器１１は、ほぼ水平に設置される。そして、接液ダイヤフラム１６は、液体２０に接し、液体２０の圧力を受ける。この圧力は、封入液を介して高圧側第２導圧管２、高圧側脱着部５、高圧側第１導圧管１とカプセル部１３に伝達する。
【００４４】
低圧側ダイヤフラムシール８は、低圧側取付けフランジ９とボルト（図示しない）を介して、タンク１９の上部に取付けられる。弁３７は、低圧側第２導圧管７が下降している箇所に挿入されて、低圧側脱着部１０は、弁３７の下方において、低圧側第２導圧管７に接続される。低圧側脱着部１０に接続された低圧側第１導圧管６は、下降して、圧力測定器１１に接続される。そして、接液ダイヤフラムの受ける圧力は、封入液を介して低圧側第２導圧管７、弁３７、低圧側脱着部１０、低圧側第１導圧管６とカプセル部１３に伝達する。
【００４５】
カプセル部１３は、例えば容量式または振動式センサにより、前記伝達された高圧側と低圧側圧力との差に対応する圧力差信号を検出して、変換部１２に伝達する。変換部１２は、この圧力差信号に基ずき圧力差を演算して、この圧力差に基ずき液位を演算する。
【００４６】
接液ダイヤフラムの腐食などにより、低圧側ダイヤフラムシール８が破損や故障したとき、低圧側ダイヤフラムシール８は、以下のステップにより封入液の漏れ量を低減して、交換することができる。
【００４７】
第１のステップは、弁３７を閉じた後に、低圧側脱着部１０を、図１５に示すように分離する。これにより、低圧側第２導圧管７と低圧側第１導圧管６を分離できる。このとき、弁３７は閉じられ、弁３７と低圧側脱着部１０の間にある封入液３６により、低圧側脱着部１０に圧力がかかる。しかし、この封入液の量は、弁３７がないときよりも少ないので、前記圧力は、弁３７がないときよりも小さい。このため、低圧側第１導圧管６と低圧側第２導圧管７を分離したとき、第１スプリング２１が伸張して、第１シールＯリング２３がステム２５に接触する以前に、第１シールＯリング２３とステム２５の間隙を経由して、第１支柱２６とステム２５の間隙から低圧側脱着部１０の外部に漏れる封入液３６の量は、低減できる。
【００４８】
第２のステップは、破損または故障した低圧側ダイヤフラムシール８を交換する。第３のステップは、低圧側脱着部１０を、図１４に示すように接続する。これにより、低圧側第２導圧管７と低圧側第１導圧管６を接続できる。第４のステップは、弁３７を開ける。そして、接液ダイヤフラムの受ける圧力は、封入液を介して低圧側第２導圧管７、弁３７、低圧側脱着部１０、低圧側第１導圧管６とカプセル部１３に伝達することができる。以上のステップにより、破損または故障した低圧側ダイヤフラムシール８は、交換することができる。
【００４９】
なお、故障した圧力測定器１１は、同様のステップにより封入液の漏れ量を低減して、交換することができる。
【００５０】
前記交換後、低圧側ダイヤフラムシール８が液体２０から受けた圧力を、封入液を経由して圧力測定器１１へ十分に伝達して、高精度で安定な圧力測定を実現できる。また、ユーザーなどは、低圧側第２導圧管７、弁３７、低圧側脱着部１０と低圧側第１導圧管６を、ほぼ水平にすることなく、圧力測定器１１や低圧側ダイヤフラムシール８を、容易に交換できて、ダイヤフラムシール型圧力測定装置４２のメンテナンスに要する時間や費用を、低減することを実現できる。
【００５１】
なお、高圧側第２導圧管２、高圧側脱着部５と高圧側第１導圧管１は、ほぼ水平に設置されている。そのため、弁が、高圧側第２導圧管２または高圧側第１導圧管１に設けられなくても、高圧側第２導圧管２と高圧側第１導圧管１は、封入液の漏れを防止して、高圧側脱着部５により分離することができる。
【００５２】
つぎに、ダイヤフラムシール型圧力測定装置４３が、タンク１９に取付けられる他の例について、図３を用いて説明する。図２と同一のものは同一符号を付し説明を省略する。弁３８と低圧側脱着部１０は、圧力測定器１１の下方に設けた。
【００５３】
高圧側ダイヤフラムシール３は、高圧側取付けフランジ４とボルト（図示しない）を介して、タンク１９の下部に取付けられる。高圧側第２導圧管２は、タンク１９より上方に上昇して、高圧側脱着部５に接続される。高圧側脱着部５、高圧側第１導圧管１と圧力測定器１１は、ほぼ水平に設置される。そして、接液ダイヤフラム１６は、液体２０に接し、液体２０の圧力を受ける。この圧力は、封入液を介して高圧側第２導圧管２、高圧側脱着部５、高圧側第１導圧管１とカプセル部１３に伝達する。
【００５４】
低圧側ダイヤフラムシール８は、低圧側取付けフランジ９とボルト（図示しない）を介して、タンク１９の上部に取付けられる。低圧側脱着部１０は、上昇している低圧側第２導圧管７に接続される。弁３８は、低圧側脱着部１０の上方において、低圧側第１導圧管６が上昇している箇所に挿入される。圧力測定器１１は、弁３８の上方において、低圧側第１導圧管６に接続される。そして、接液ダイヤフラムの受ける圧力は、封入液を介して低圧側第２導圧管７、低圧側脱着部１０、弁３８、低圧側第１導圧管６とカプセル部１３に伝達する。
【００５５】
接液ダイヤフラムの腐食などにより、低圧側ダイヤフラムシール８が破損や故障したとき、低圧側ダイヤフラムシール８は、以下のステップにより封入液の漏れ量を低減して、交換することができる。
【００５６】
第１のステップは、弁３８を閉じた後に、低圧側脱着部１０を、図１５に示すように分離する。これにより、低圧側第２導圧管７と低圧側第１導圧管６を分離できる。このとき、弁３８は閉じられ、弁３８と低圧側脱着部１０の間にある封入液により、低圧側脱着部１０に圧力がかかる。しかし、この封入液の量は、弁３８がないときよりも少ないので、前記圧力は、弁３８がないときよりも小さい。このため、低圧側第１導圧管６と低圧側第２導圧管７を分離したとき、第２スプリング２２が伸張して、第２シールＯリング２４が第２ボディ２９に接触する以前に、第２シールＯリング２４と第２ボディ２９の間隙を経由して、低圧側脱着部１０の外部に漏れる封入液の量は、低減できる。
【００５７】
第２のステップは、破損または故障した低圧側ダイヤフラムシール８を交換する。第３のステップは、低圧側脱着部１０を、図１４に示すように接続する。これにより、低圧側第２導圧管７と低圧側第１導圧管６を接続できる。第４のステップは、弁３８を開ける。そして、接液ダイヤフラムの受ける圧力は、封入液を介して低圧側第２導圧管７、低圧側脱着部１０、弁３８、低圧側第１導圧管６とカプセル部１３に伝達することができる。以上のステップにより、破損または故障した低圧側ダイヤフラムシール８は、交換することができる。
【００５８】
なお、故障した圧力測定器１１は、同様のステップにより封入液の漏れ量を低減して、交換することができる。
【００５９】
前記交換後、低圧側ダイヤフラムシール８が液体２０から受けた圧力を、封入液を経由して圧力測定器１１へ十分に伝達して、高精度で安定な圧力測定を実現できる。また、ユーザーなどは、低圧側脱着部１０、低圧側第１導圧管６と弁３８を、ほぼ水平にすることなく、圧力測定器１１や低圧側ダイヤフラムシール８を、容易に交換できて、ダイヤフラムシール型圧力測定装置４３のメンテナンスに要する時間や費用を、低減することを実現できる。
【００６０】
つぎに、ダイヤフラムシール型圧力測定装置４４が、タンク１９に取付けられる他の例について、図４を用いて説明する。図２と同一のものは同一符号を付し説明を省略する。弁４０と高圧側脱着部５は、圧力測定器１１の下方に設けた。
【００６１】
高圧側ダイヤフラムシール３は、高圧側取付けフランジ４とボルト（図示しない）を介して、タンク１９の下部に取付けられる。高圧側第２導圧管２は上昇して、高圧側脱着部５に接続される。弁４０は、高圧側脱着部５の上方において、高圧側第１導圧管１が上昇している箇所に挿入される。圧力測定器１１は、弁４０の上方において、高圧側第１導圧管１に接続される。
【００６２】
低圧側ダイヤフラムシール８は、低圧側取付けフランジ９とボルト（図示しない）を介して、タンク１９の上部に取付けられる。低圧側第２導圧管７、低圧側脱着部１０、低圧側第１導圧管６と圧力測定器１１は、ほぼ水平に設置される。
【００６３】
高圧側ダイヤフラムシール３が破損や故障したとき、弁４０を閉じた後に、高圧側脱着部５を分離する。高圧側脱着部５は、図２または図３で説明した低圧側脱着部１０の分離のときと同様の動作をする。このため、高圧側脱着部５の外部に漏れる封入液の量は低減でき、高精度で安定な圧力測定ができる。また、ユーザーなどは、高圧側脱着部５、弁４０と高圧側第１導圧管１を、ほぼ水平にすることなく、圧力測定器１１や高圧側ダイヤフラムシール３を、容易に交換できる。
【００６４】
つぎに、ダイヤフラムシール型圧力測定装置４５が、タンク１９に取付けられる他の例について、図５を用いて説明する。図２と同一のものは同一符号を付し説明を省略する。弁３９と高圧側脱着部５は、圧力測定器１１の上方に設けた。
【００６５】
高圧側ダイヤフラムシール３は、高圧側取付けフランジ４とボルト（図示しない）を介して、タンク１９の下部に取付けられる。弁３９は、高圧側第２導圧管２が下降している箇所に挿入されて、高圧側脱着部５は、弁３９の下方において、高圧側第２導圧管２に接続される。圧力測定器１１は、高圧側脱着部５の下方において、高圧側第１導圧管１に接続される。
【００６６】
低圧側ダイヤフラムシール８は、低圧側取付けフランジ９とボルト（図示しない）を介して、タンク１９の上部に取付けられる。低圧側第２導圧管７は、下降して、低圧側脱着部１０に接続される。低圧側脱着部１０、低圧側第１導圧管６と圧力測定器１１は、ほぼ水平に設置される。
【００６７】
高圧側ダイヤフラムシール３が破損や故障したとき、弁３９を閉じた後に、高圧側脱着部５を分離する。高圧側脱着部５は、図２または図３で説明した低圧側脱着部１０の分離のときと同様の動作をする。このため、高圧側脱着部５の外部に漏れる封入液の量は低減でき、高精度で安定な圧力測定ができる。また、ユーザーなどは、高圧側第２導圧管２、弁３９と高圧側脱着部５を、ほぼ水平にすることなく、圧力測定器１１や高圧側ダイヤフラムシール３を、容易に交換できる。
【００６８】
つぎに、ダイヤフラムシール型圧力測定装置４６が、タンク１９に取付けられる他の例について、図６を用いて説明する。図２と同一のものは同一符号を付し説明を省略する。
【００６９】
高圧側ダイヤフラムシール３は、高圧側取付けフランジ４とボルト（図示しない）を介して、タンク１９の下部に取付けられる。低圧側ダイヤフラムシール８は、低圧側取付けフランジ９とボルト（図示しない）を介して、タンク１９の上部に取付けられる。
【００７０】
高圧側第２導圧管２から低圧側第２導圧管７へ上昇していく経路に、高圧側脱着部５、高圧側第１導圧管１、圧力測定器１１、低圧側第１導圧管６、低圧側脱着部１０、低圧側第２導圧管７の順番に接続する。弁４０は、高圧側第１導圧管１に、弁３７は、低圧側第２導圧管７に挿入される。
【００７１】
高圧側ダイヤフラムシール３が破損や故障したとき、弁４０を閉じた後に、高圧側脱着部５を分離する。また、低圧側ダイヤフラムシール８が破損や故障したとき、弁３７を閉じた後に、低圧側脱着部１０を分離する。高圧側脱着部５または低圧側脱着部１０は、図２または図３で説明した低圧側脱着部１０の分離のときと同様の動作をする。このため、、高圧側脱着部５または低圧側脱着部１０の外部に漏れる封入液の量は低減でき、高精度で安定な圧力測定ができる。また、ユーザーなどは、高圧側第１導圧管１や低圧側第２導圧管７などを、ほぼ水平にすることなく、圧力測定器１１、高圧側ダイヤフラムシール３や低圧側ダイヤフラムシール８を、容易に交換できる。
【００７２】
つぎに、ダイヤフラムシール型圧力測定装置４７が、タンク１９に取付けられる他の例について、図７を用いて説明する。図２と同一のものは同一符号を付し説明を省略する。
【００７３】
高圧側ダイヤフラムシール３は、高圧側取付けフランジ４とボルト（図示しない）を介して、タンク１９の下部に取付けられる。高圧側第２導圧管２は上昇して、高圧側脱着部５に接続される。弁４０は、高圧側脱着部５の上方において、高圧側第１導圧管１が上昇している箇所に挿入される。圧力測定器１１は、弁４０の上方において、高圧側第１導圧管１に接続される。
【００７４】
低圧側ダイヤフラムシール８は、低圧側取付けフランジ９とボルト（図示しない）を介して、タンク１９の上部に取付けられる。低圧側脱着部１０は、上昇している低圧側第２導圧管７に接続される。弁３８は、低圧側脱着部１０の上方において、低圧側第１導圧管６が上昇している箇所に挿入される。圧力測定器１１は、弁３８の上方において、低圧側第１導圧管６に接続される。
【００７５】
高圧側ダイヤフラムシール３が破損や故障したとき、弁４０を閉じた後に、高圧側脱着部５を分離する。また、低圧側ダイヤフラムシール８が破損や故障したとき、弁３８を閉じた後に、低圧側脱着部１０を分離する。高圧側脱着部５または低圧側脱着部１０は、図２または図３で説明した低圧側脱着部１０の分離のときと同様の動作をする。このため、、高圧側脱着部５または低圧側脱着部１０の外部に漏れる封入液の量は低減でき、高精度で安定な圧力測定ができる。また、ユーザーなどは、高圧側第１導圧管１や低圧側第１導圧管６などを、ほぼ水平にすることなく、圧力測定器１１、高圧側ダイヤフラムシール３や低圧側ダイヤフラムシール８を、容易に交換できる。
【００７６】
つぎに、ダイヤフラムシール型圧力測定装置４８が、タンク１９に取付けられる他の例について、図８を用いて説明する。図２と同一のものは同一符号を付し説明を省略する。
【００７７】
高圧側ダイヤフラムシール３は、高圧側取付けフランジ４とボルト（図示しない）を介して、タンク１９の下部に取付けられる。弁３９は、高圧側第２導圧管２が下降している箇所に挿入されて、高圧側脱着部５は、弁３９の下方において、高圧側第２導圧管２に接続される。圧力測定器１１は、高圧側脱着部５の下方において、高圧側第１導圧管１に接続される。
【００７８】
低圧側ダイヤフラムシール８は、低圧側取付けフランジ９とボルト（図示しない）を介して、タンク１９の上部に取付けられる。弁３７は、低圧側第２導圧管７が下降している箇所に挿入されて、低圧側脱着部１０は、弁３７の下方において、低圧側第２導圧管７に接続される。低圧側脱着部１０に接続された低圧側第１導圧管６は、下降して、圧力測定器１１に接続される。
【００７９】
高圧側ダイヤフラムシール３が破損や故障したとき、弁３９を閉じた後に、高圧側脱着部５を分離する。また、低圧側ダイヤフラムシール８が破損や故障したとき、弁３７を閉じた後に、低圧側脱着部１０を分離する。高圧側脱着部５または低圧側脱着部１０は、図２または図３で説明した低圧側脱着部１０の分離のときと同様の動作をする。このため、高圧側脱着部５または低圧側脱着部１０の外部に漏れる封入液の量は低減でき、高精度で安定な圧力測定ができる。また、ユーザーなどは、高圧側第２導圧管２や低圧側第２導圧管７などを、ほぼ水平にすることなく、圧力測定器１１、高圧側ダイヤフラムシール３や低圧側ダイヤフラムシール８を、容易に交換できる。
【００８０】
つぎに、ダイヤフラムシール型圧力測定装置４９が、タンク１９に取付けられる他の例について、図９を用いて説明する。図２と同一のものは同一符号を付し説明を省略する。
【００８１】
高圧側ダイヤフラムシール３は、高圧側取付けフランジ４とボルト（図示しない）を介して、タンク１９の下部に取付けられる。弁３９は、高圧側第２導圧管２が下降している箇所に挿入される。高圧側脱着部５は、弁３９の下方において、高圧側第２導圧管２に接続される。圧力測定器１１は、高圧側脱着部５の下方において、高圧側第１導圧管１に接続される。
【００８２】
低圧側ダイヤフラムシール８は、低圧側取付けフランジ９とボルト（図示しない）を介して、タンク１９の上部に取付けられる。低圧側脱着部１０は、上昇している低圧側第２導圧管７に接続される。弁３８は、低圧側脱着部１０の上方において、低圧側第１導圧管６が上昇している箇所に挿入される。圧力測定器１１は、弁３８の上方において、低圧側第１導圧管６に接続される。
【００８３】
高圧側ダイヤフラムシール３が破損や故障したとき、弁３９を閉じた後に、高圧側脱着部５を分離する。また、低圧側ダイヤフラムシール８が破損や故障したとき、弁３８を閉じた後に、低圧側脱着部１０を分離する。高圧側脱着部５または低圧側脱着部１０は、図２または図３で説明した低圧側脱着部１０の分離のときと同様の動作をする。このため、高圧側脱着部５または低圧側脱着部１０の外部に漏れる封入液の量は低減でき、高精度で安定な圧力測定ができる。また、ユーザーなどは、高圧側第２導圧管２や低圧側第１導圧管６などを、ほぼ水平にすることなく、圧力測定器１１、高圧側ダイヤフラムシール３や低圧側ダイヤフラムシール８を、容易に交換できる。
【００８４】
本実施例によって、ダイヤフラムシール型圧力測定装置に関し、圧力測定器に接続される第１導圧管またはダイヤフラムシールに接続される第２導圧管の少なくともいずれか一つに弁を設けることにより、脱着部で第１導圧管と第２導圧管を分離するとき、第１導圧管と第２導圧管の内部に満たされた封入液の漏れ量を低減できる。このため、ダイヤフラムシールが液体から受けた圧力を、前記封入液を経由して圧力測定器へ十分に伝達して、高精度で安定な圧力測定を実現できる。また、ユーザーなどが、圧力測定器やダイヤフラムシールを容易に交換できて、ダイヤフラムシール型圧力測定装置のメンテナンスに要する時間や費用を、低減することを実現できる。
【００８５】
［第２の実施例］
第２の実施例は、図２から図９において、弁３７、３８、３９、４０を、高圧側脱着部５または低圧側脱着部１０の近くに設けたものである。この近くとは、高圧側脱着部５または低圧側脱着部１０を分離したとき、高圧側脱着部５または低圧側脱着部１０の外部に漏れる封入液の量を、より低減できる位置をいう。
【００８６】
すなわち、本実施例によって、前記近くに設けることにより、前記弁と前記脱着部の間にある封入液の量は、より少ないので、前記脱着部にかかる圧力は、より小さい。このため、高圧側脱着部５または低圧側脱着部１０を分離したとき、高圧側脱着部５または低圧側脱着部１０の外部に漏れる封入液の量は、より低減できる。そして、ダイヤフラムシールが液体から受けた圧力を、前記封入液を経由して圧力測定器へ、より十分に伝達して、より高精度で安定な圧力測定を実現できる。また、ユーザーなどが、圧力測定器やダイヤフラムシールを容易に交換できて、ダイヤフラムシール型圧力測定装置のメンテナンスに要する時間や費用を、低減することを実現できる。
【００８７】
［第３の実施例］
第３の実施例について、図１０を用いて説明する。図１０は、低圧側脱着部１０に保護カバー５０を設けた断面図である。低圧側脱着部１０は、図１４と同じ構造なので、説明を省略する。
【００８８】
保護カバー５０は、低圧側脱着部１０を覆うように設けられる。例えば、保護カバー５０は、これに設けられたねじ部５１により、ねじ込んで、低圧側脱着部１０を覆うことができる。
【００８９】
低圧側脱着部１０は、屋外に設置されることが多く、周囲の粉塵や液体（雨水など）などの入り込みにより、動作しなくなって故障することがある。このため、保護カバー５０は、低圧側脱着部１０への、前記粉塵や液体などの入り込みを低減するものである。なお、同様に、高圧側脱着部５も、保護カバーを設けることができる。
【００９０】
本実施例によって、さらに、保護カバーにより、周囲の粉塵や液体などが、高圧側脱着部または低圧側脱着部へ入り込むのを低減して、前記脱着部の故障を低減する。これにより、故障の少ない信頼性の高いダイヤフラムシール型圧力測定装置を実現できる。
【００９１】
［第４の実施例］
第４の実施例は、弁３７、３８、３９、４０を、電磁弁とするものである。手動により開閉する弁の場合、ユーザーなどが、弁を完全に閉めないで、高圧側脱着部または低圧側脱着部を分離すると、封入液の漏れ量が多くなることがある。一方、電磁弁の場合、このような人為的誤りを防止して、弁を完全に閉めることができるため、封入液の漏れ量を低減できる。
【００９２】
本実施例によって、さらに確実に、封入液の漏れ量を低減して、高精度で安定な圧力測定を実現できる。
【００９３】
なお、低圧側第１導圧管６、低圧側第２導圧管７、高圧側第１導圧管１と高圧側第２導圧管２は、キャピラリーチューブであってもよい。キャピラリーチューブは、ダイヤフラムシールが液体から受けた圧力を、圧力測定器１１へ伝達するものである。
【００９４】
本発明を適用したダイヤフラムシール型圧力測定装置は、液体のほか、気体や蒸気にも適用できて、また、タンクのほか、流体を流す配管にも適用できる。
【００９５】
本発明は、前述の実施例に限定されることなく、その本質を逸脱しない範囲で、さらに多くの変更および変形を含むものである。
【図面の簡単な説明】
【００９６】
【図１】本発明を適用したダイヤフラムシール型圧力測定装置の構成図である。
【図２】本発明を適用したダイヤフラムシール型圧力測定装置のタンク取付図である。
【図３】本発明を適用したダイヤフラムシール型圧力測定装置のタンク取付図の他の例である。
【図４】本発明を適用したダイヤフラムシール型圧力測定装置のタンク取付図の他の例である。
【図５】本発明を適用したダイヤフラムシール型圧力測定装置のタンク取付図の他の例である。
【図６】本発明を適用したダイヤフラムシール型圧力測定装置のタンク取付図の他の例である。
【図７】本発明を適用したダイヤフラムシール型圧力測定装置のタンク取付図の他の例である。
【図８】本発明を適用したダイヤフラムシール型圧力測定装置のタンク取付図の他の例である。
【図９】本発明を適用したダイヤフラムシール型圧力測定装置のタンク取付図の他の例である。
【図１０】低圧側脱着部に保護カバーを設けた断面図である。
【図１１】背景技術としてのダイヤフラムシール型圧力測定装置の構成図である。
【図１２】高圧側ダイヤフラムシールの断面図である。
【図１３】背景技術としてのダイヤフラムシール型圧力測定装置のタンク取付図である。
【図１４】低圧側脱着部の接続状態における断面図である。
【図１５】低圧側脱着部の分離状態における断面図である。
【符号の説明】
【００９７】
１  高圧側第１導圧管
２  高圧側第２導圧管
３  高圧側ダイヤフラムシール
４  高圧側取付けフランジ
５  高圧側脱着部
６  低圧側第１導圧管
７  低圧側第２導圧管
８  低圧側ダイヤフラムシール
９  低圧側取付けフランジ
１０  低圧側脱着部
１１  圧力測定器
１２  変換部
１３  カプセル部
３７、３８、３９、４０  弁
４１  ダイヤフラムシール型圧力測定装置
【図１】
2008292217.tif 000003
【図２】
2008292217.tif 000004
【図３】
2008292217.tif 000005
【図４】
2008292217.tif 000006
【図５】
2008292217.tif 000007
【図６】
2008292217.tif 000008
【図７】
2008292217.tif 000009
【図８】
2008292217.tif 000010
【図９】
2008292217.tif 000011
【図１０】
2008292217.tif 000012
【図１１】
2008292217.tif 000013
【図１２】
2008292217.tif 000014
【図１３】
2008292217.tif 000015
【図１４】
2008292217.tif 000016
【図１５】
2008292217.tif 000017